(57)【要約】【課題】  塵埃による目詰まりが発生しても、迅速、かつ、簡単に解消できるため、集塵能力に優れ、寿命の長い、作業者への負担が少ない、かつ、集塵作業の時間短縮が図れる集塵袋および集塵装置を提供する。【解決手段】  送風機９に接続され、空気中の塵埃Ｄを集塵する集塵袋１において、筒状の内部空間を有する柔軟な通気性シートからなる筒状胴体の一端部に送風機９の吹出口部１０に接続される取入口部５を、その一端部と反対側の他端部に排出口部６を有し、筒状胴体の排出口部６側に、内部空間の軸方向に直交する断面の内部空間断面積が排出口部６に向かって減少する集塵部４を有する本体部２と、本体部２の排出口部６に接続される筒状の連結部７と、連結部７の排出口部６が接続される一端部と反対側の他端部に接続され、本体部より小さな内容積を有し、柔軟な通気性シートからなる袋状の回収部８とを備える。【選択図】      図１
2006326400.tif 000002
【特許請求の範囲】
【請求項１】
送風機に接続され、空気中の塵埃を集塵する集塵袋において、筒状の内部空間を有する柔軟な通気性シートからなる筒状胴体の一端部に前記送風機の吹出口部に接続される取入口部を、その一端部と反対側の他端部に排出口部を有すると共に、前記筒状胴体の前記排出口部側に、前記内部空間の軸方向に直交する断面の内部空間断面積が当該排出口部に向かって減少する集塵部を有する本体部と、
前記本体部の排出口部に接続される筒状の連結部と、
前記連結部の前記排出口部が接続される一端部と反対側の他端部に接続され、前記本体部より小さな内容積を有すると共に、柔軟な通気性シートからなる袋状の回収部とを備えることを特徴とする集塵袋。
【請求項２】
送風機に接続され、空気中の塵埃を集塵する集塵装置において、筒状の内部空間を有する柔軟な通気性シートからなる筒状胴体の一端部に前記送風機の吹出口部に接続される取入口部を、その一端部と反対側の他端部に排出口部を有すると共に、前記筒状胴体の前記排出口部側に、前記内部空間の軸方向に直交する断面の内部空間断面積が当該排出口部に向かって減少する集塵部を有する本体部と、
前記本体部の排出口部に接続される筒状の連結部と、
前記連結部の前記排出口部が接続される一端部と反対側の他端部に接続される回収部とを備えると共に、
前記回収部が、前記連結部と接続される接続管と、前記接続管と連通する回収袋および前記回収袋に隣接する吸引機を内蔵する回収部本体とを備えることを特徴とする集塵装置。
【発明の詳細な説明】
【技術分野】
【０００１】
本発明は、送風機に接続して使用される集塵袋および集塵装置に関する。
【背景技術】
【０００２】
一般に、建築、土木現場等の作業時に発生する粉塵、または清掃時等に舞い上がるほこりが作業場および作業者へ飛散、付着するのを防止するため、および、作業者の視界を防ぐために、以下のような対策がとられていた。例えば、中小現場においては、粉塵またはほこり（以下、塵埃と称する）対策は作業者の自己管理に任せられ、塵埃が気になる場合はホームセンターなどで購入した使い捨てマスクを着用したり、少量の塵埃であればタオルを口、鼻に巻き付けて作業を行っていた。しかしながら、塵埃対策として十分といえるものではなかった。
【０００３】
また、大型現場では、送風機などの機械を使って塵埃を吸引して、送風機に接続されたダストホース（ジャバラホース）を使って作業現場外へ廃棄していた。しかし、その場をしのいで作業への負担を少なくしているだけにとどまるもので、塵埃対策として十分といえるものではなかった。時には、一般家庭を含む周辺に塵埃が飛散し、一般家庭等への環境影響を免れないという問題が発生していた。
【０００４】
従来、非特許文献１において、送風機に簡単脱着でき、集塵作業が容易で、塵埃の破棄が一般家庭等への環境影響なしに行うことが可能な集塵袋が記載されている。この集塵袋は、１０μｍより小さい空中浮遊粒子または汚染物質等を効果的に捕集して、作業空間での空中浮遊粒子または汚染物質等の移動を減少させ、１立方フィートの作業空間の環境を向上させることができること記載されている。また、集塵袋の全長にわたって開口用ファスナーが設けられ、集塵袋の内部を清掃することによって、集塵袋の再使用が可能になることが記載されている。さらに、２４インチ以下の送風機に簡単に装着できることが記載されている。
【０００５】
そして、図４に示すように、集塵袋２０は、略円筒状の本体部２１からなり、その一端には、送風機２７の吹出口部２８と装着して、塵埃Ｄを含む空気を本体部２１の内部に取り入れるための取入口部２４を有し、他端は閉じた底部２５を有する。また、本体部２１は、取入口部２４側に所定径を有し、塵埃Ｄを含む空気を本体部２１の内部へ導入するための導入部２２が形成され、底部２５側には導入部２２より外径が大きく形成され、塵埃を収納するための収納部２３が形成されると共に、本体部２１の長手方向に取入口部２４から底部２５にわたって開口用ファスナー２６が設けられている。
【０００６】
また、特許文献１でも、図示しないが、粉塵、落葉、木片等の吹き出し作業または吸い込み作業において、送風機の吹出口部に装着して使用される、非特許文献１と同一形態の集塵袋が記載されている。
【０００７】
【非特許文献１】送風機付属品（Blower Accessories）、“集塵袋（Dust Containment Bag）”、[online]、テンペストテクノロジィ（TEMPEST TECHNOLOGY）、[平成１７年３月１８日]、インターネット（ＵＲＬ：http://www.tempest-edge.com/blowers/accessories.htm）
【特許文献１】特開２００２−３３２９９５号公報（段落００３０、図１１）
【発明の開示】
【発明が解決しようとする課題】
【０００８】
しかしながら、従来の集塵袋においては、以下に示すような問題が存在した。集塵袋の本体部を構成する材料として、通気性を有するメッシュ状の布製シートを使用することが一般的であるが、この布製シートは、集塵袋の連続使用によって、メッシュの開口部が本体部の内部に収納された塵埃によって詰まる、すなわち、目詰まりが発生しやすかった。それによって、集塵袋は、集塵能力が低下し、寿命が短くなるという問題があった。
【０００９】
また、非特許文献１に記載された集塵袋２０では、本体部２１の全長にわたって設けられた開口用ファスナー２６を開口することによって本体部２１を展開し、本体部２１の内面を清掃、例えば、電気掃除機等で吸引して、本体部２１の目詰まりを解消させ、集塵袋２０の寿命を伸ばすことが行われていた。しかしながら、このような清掃作業は、作業場および作業者への塵埃の飛散、付着が再度発生する危険があり、また、作業者の負担を増加させると共に、清掃作業が長時間になるという問題があった。
【００１０】
さらに、集塵袋２０では、本体部２１の内容積を大きくして、塵埃Ｄの分別に寄与する布製シートの表面積を増加させると共に、集塵された塵埃Ｄの収納空間を増加させることによって、目詰まりを防止し、寿命を延ばすことも行われていた。しかしながら、集塵袋２０が大型化しコスト高になるという問題があった。
【００１１】
本発明は前記問題に鑑みてなされたものであり、塵埃による目詰まりが発生しても、迅速、かつ、簡単に解消できるため、集塵能力に優れ、寿命の長い、作業者への負担が少ない、かつ、集塵作業の時間短縮が図れる集塵袋および集塵装置を提供することを目的とする。
【課題を解決するための手段】
【００１２】
前記課題を解決するために、請求項１に記載の発明は、送風機に接続され、空気中の塵埃を集塵する集塵袋において、筒状の内部空間を有する柔軟な通気性シートからなる筒状胴体の一端部に前記送風機の吹出口部に接続される取入口部を、その一端部と反対側の他端部に排出口部を有すると共に、前記筒状胴体の前記排出口部側に、前記内部空間の軸方向に直交する断面の内部空間断面積が当該排出口部に向かって減少する集塵部を有する本体部と、前記本体部の排出口部に接続される筒状の連結部と、前記連結部の前記排出口部が接続される一端部と反対側の他端部に接続され、前記本体部より小さな内容積を有すると共に、柔軟な通気性シートからなる袋状の回収部とを備える集塵袋として構成したものである。
【００１３】
前記構成によれば、送風機の吹出口部から吹き出された塵埃を含む空気が取入口部から本体部の内部に取り入れられる。取り入れられた空気は、本体部を構成する通気性シートによって、空気と塵埃に分別され、空気は本体部外に排出され、塵埃は内部空間断面積が減少した集塵部に集塵される。そのため、本体部、特に集塵部以外の本体部の通気性シートの開口部が塵埃で詰まる、すなわち、目詰まりの発生が減少する。また、集塵された塵埃は、本体部を外部からたたく等することによって、集塵部から連結部を通って回収部に容易に排出される。そのため、本体部の内部の塵埃の量が減少し、目詰まりの発生がより一層減少する。また、目詰まりが発生しても、迅速、かつ、簡単に目詰まりが解消される。その結果、集塵能力が向上し、従来の集塵袋ように頻繁に本体部の内部を清掃する必要がなくなると共に、従来の集塵袋（本体部）より小さな内容積を持った集塵袋（本体部）で十分な集塵を行うことが可能となり、集塵袋が小型化する。さらに、回収部が簡易な構成となり、集塵袋の作製が容易で、低コストとなると共に、回収部の持ち運びと廃棄が簡単となる。
【００１４】
また、請求項２に記載の発明は、送風機に接続され、空気中の塵埃を集塵する集塵装置において、筒状の内部空間を有する柔軟な通気性シートからなる筒状胴体の一端部に前記送風機の吹出口部に接続される取入口部を、その一端部と反対側の他端部に排出口部を有すると共に、前記筒状胴体の前記排出口部側に、前記内部空間の軸方向に直交する断面の内部空間断面積が当該排出口部に向かって減少する集塵部を有する本体部と、前記本体部の排出口部に接続される筒状の連結部と、前記連結部の前記排出口部が接続される一端部と反対側の他端部に接続される回収部とを備えると共に、前記回収部が、前記連結部と接続される接続管と、前記接続管と連通する回収袋および前記回収袋に隣接する吸引機を内蔵する回収部本体とを備える集塵装置として構成したものである。
【００１５】
前記構成によれば、回収部本体の吸引機の吸引力によって、本体部の内部（集塵部）に集塵された塵埃が排出されるため、本体部の内部の塵埃の量がより一層減少し、目詰まりの発生がより一層減少する。また、目詰まりが発生しても、より一層迅速、かつ、簡単に目詰まりが解消される。
【発明の効果】
【００１６】
本発明に係る集塵袋によれば、集塵能力に優れ、寿命の長い、作業者への負担が少ない、かつ、集塵作業の時間短縮が図れるものとなる。加えて、同じ集塵能力の従来の集塵袋と比べて、小型化することが可能となり、コストが低くなる。
また、集塵装置によれば、回収部が吸引機を内蔵する回収部本体を備えることにより、前記効果がより一層高まる。
【発明を実施するための最良の形態】
【００１７】
本発明の実施形態について図面を参照して詳細に説明する。図１は集塵袋の構成を示す一部破断斜視図、図２は他の実施形態である集塵装置の構成を示す部分斜視図、図３（ａ）、（ｂ）は吹出口部の他の実施形態を示すもので、（ａ）は側面図、（ｂ）は（ａ）の背面図（羽根部の記載は省略）、（ｃ）、（ｄ）は吹出口部と取入口部の他の接続方法に使用される接続部材を示すもので、（ｃ）は側面図、（ｄ）は（ｃ）のＸ−Ｘ線断面図である。
【００１８】
図１に示すように、本発明に係る集塵袋１は、送風機９の吹出口部１０に接続して使用されるもので、本体部２と、連結部７と、回収部８とを備える。ここで、送風機９は、例えば、モータ等の駆動部と、駆動部によって回転する羽根部と、羽根部の回転によって発生する風を吹き出す吹出口部１０とを備えるもので、市販されている送風機を使用する。そして、送風機９の大きさ（送風能力）は、集塵作業を必要とする作業空間の大きさに対応して、適宜選択される。以下、各構成について説明する。
【００１９】
〔本体部〕
本体部２は、送風機９に接続され、空気中の塵埃Ｄを集塵する内部空間を有する柔軟な通気性シートからなる筒状胴体の一端部に送風機９の吹出口部１０に接続される取入口部５を、その一端部と反対側の他端部に排出口部６を有するものである。
通気性シートは、例えば、布製シート、高分子樹脂製シート等であって、単層シートまたは積層シートからなる。シート厚は０．５〜１．０ｍｍが好ましく、０．５ｍｍ未満であると本体部２の強度が不足し集塵作業の際に破損しやすくなり、１．０ｍｍを超えると本体部２の柔軟性が低下し集塵作業の際の取り回しが困難になりやすく、持ち運びに不便である。
【００２０】
布製シートとしては、木綿、羊毛、絹等の天然繊維、ポリオレフィン系、ポリエステル系、ポリアミド系、ポリアクリル系、ポリウレタン系高分子樹脂等の合成繊維、ポリアセテート等の半合成繊維、レーヨン、ポリノジック、キュプラ等の再生繊維、またはこれらを組み合わせた繊維から公知の方法で製造した織布、編布、不織布が使用される。
【００２１】
高分子樹脂製シートとしては、ポリオレフィン系、ポリエステル系、ポリアミド系、ポリアクリル系、ポリウレタン系高分子樹脂等を公知の方法でシート状に成形加工したものが使用される。
【００２２】
また、集塵作業は、送風機９の羽根部を回転させることにより塵埃を空気と共に吸入し、吸入された塵埃を含む空気を吹出口部１０に接続される本体部２の内部に取り入れることによって行われる。本体部２の内部に集塵される塵埃には、送風機９を通過する際に摩擦により静電気が帯電することがある。そのため、本体部２を布製シートで構成した場合には、本体部２の内部の塵埃の量が多くなるにしたがって、本体部２にも静電気が帯電し、本体部２に作業者の手が触れたり接近したりすると、放電して作業者に不快感を与えることがある。そこで、前記繊維に金属化合物を化学結合させた導電性繊維、または金属繊維を、前記織布、編布、不織布に織り込む、または、縫い付けることが好ましい。
【００２３】
通気性シートは、通気度８〜１８ｃｃ／ｃｍ2・ｓｅｃであることが好ましい。通気度８ｃｃ／ｃｍ2・ｓｅｃ未満であると通気性シートの開口部に塵埃が詰まりやすくなり、通気度１８ｃｃ／ｃｍ2・ｓｅｃを超えると通気性シートの集塵能力が低下しやすい。また、通気性シートとして不織布を使用する場合には、不織布の目付量で通気度を制御することが好ましく、目付量７０〜９０ｇ／ｍ2が好ましい。なお、目付量が小さいと通気度が高くなり、目付量が大きいと通気度が低くなる。
【００２４】
本体部２は、筒状の内部空間を有し、その軸方向に直交する断面は円形状が好ましいが、円形状に限定されず、図示しない角型形状、または、円形状と角型形状の組み合わせ（例えば、図１において同径部３が角型形状、集塵部（縮径部）４が円形状）であってもよい。また、本体部２は、本体部２の軸方向（以下、軸線方向と称す）に直交する断面の内部空間断面積が後記する排出口部６に向かって減少する集塵部４を有する。集塵部４以外の取入口部５側の本体部２は、本体部２の軸方向に沿って、内部空間断面積を変化させない（図１の同径部３参照）ことが好ましいが、図示しない取入口部５に向かって内部空間断面積を縮小または拡大する形状であってもよい。
【００２５】
集塵部４は、内部空間断面積の減少率が９０〜９８％であることが好ましい。ここで、減少率は、本体部２の内部空間断面積の最大断面積に対する、集塵部４の内部空間断面積の最小断面積の比率をいう。具体的には、図１においては、最大断面積は内径ｄ１を有する同径部３の内部空間断面積であって、最小断面積は内径ｄ２を有する排出口部６側の集塵部（縮径部）４の内部空間断面積である。減少率９０％未満であると、後記する連結部７の内径が小さくなり、塵埃を排出しにくくなり、回収部８に回収される塵埃の量が少なくなる。その結果、本体部２（通気性シート）に目詰まりが発生しやすくなる。減少率９８％を超えると、集塵部４に塵埃が集塵しにくくなり、本体部２（通気性シート）に目詰まりが発生しやすくなる。
【００２６】
集塵部４は、排出口部６側から所定長さＬに形成されている。そして、本体部２の全長に対する所定長さＬの割合は２０〜４０％が好ましい。割合が２０％未満であると、塵埃の集塵スペース（集塵部４）が狭くなり、集塵される塵埃量が低下し、集塵されない塵埃Ｄが本体部２の内部空間に舞い上がり、本体部２（通気性シート）の目詰まり発生の原因となりやすい。割合が４０％を超えると、本体部２（通気性シート）の内表面積が減少し、集塵能力が低下しやすい。また、風速が低下し、塵埃Ｄが回収部８に移動し難くなる。
【００２７】
（取入口部）
取入口部５は、本体部２の送風機９側の一端部に形成され、送風機９の吹出口部１０に接続され、吹出口部１０から吹き出される塵埃Ｄを含む空気を本体部２の内部に取り入れる流路を形成するものである。また、軸線方向に直交する断面において、取入口部５の流路断面積は送風機９（吹出口部１０）の大きさで決定され、吹出口部１０の断面積と同等、または、それより大きいことが好ましい。取出口部５の流路断面積が吹出口部１０の断面積より小さいと、取入口部５での空気の圧力損失が大きくなり、本体部２（同径部３）の内部への空気の取入を阻害しやすい。また、取入口部５の流路断面形状は、吹出口部１０の断面形状と同一形状とすることが好ましい。
【００２８】
取入口部５の吹出口部１０への接続方法は、図１に示すように、吹出口部１０の外周面に取入口部５の内周面を接続し、取入口部５の外周面をヒモ、マジックテープ（登録商標）等の結束手段１７で結束することによって行われる。しかしながら、接着方法は前記方法に限定されず、例えば、吹出口部１０の内周面に取入口部５の外周面を接続してもよい。また、図３（ａ）〜（ｄ）に示すように、取入口部５の内周面に接続部材１５を取り付けて吹出口部１０ａと接続する方法でもよい。具体的には、吹出口部１０ａの外周面にＬ字型の溝（軸線方向溝１３、周方向溝１４）を形成すると共に、接続部材１５の内周面には前記溝に対応する突起１６を形成する。そして、突起１６を軸線方向から溝に挿入し、周方向に回転することによって、吹出口部１０ａ（送風機９）に取入口部５（本体部２）が接続される。
【００２９】
（排出口部）
排出口部６は、本体部２の取入口部５と反対側の他端部に形成され、後記する連結部７に接続して、集塵部４に集塵された塵埃を連結部７に排出する流路を形成するものである。また、排出口部６の軸線方向に直交する流路断面積は、前記集塵部４の減少率で決定される。また、排出口部６の断面形状は、本体部２（集塵部４）と同一形状とすることが好ましい。さらに、排出口部６の連結部７への接続は、図１に示すように、前記取入口部５の吹出口部１０への接続と同様に、ヒモ、マジックテープ（登録商標）等の結束手段１７で結束、または、図示しないが接続部材１５を使用して、溝と突起による嵌合によって行われる。
【００３０】
〔連結部〕
連結部７は、排出口部６に接続される筒状体で、集塵部４に集塵された塵埃Ｄを後記する回収部８に排出させる流路を形成するものである。そして、連結部７は、柔軟性と強度を考慮して、高分子樹脂等で構成されることが好ましい。また、連結部７の軸線方向に直交する流路断面積は、塵埃の排出性を考慮して、排出口部６の流路断面積と同一とすることが好ましい。さらに、連結部７の断面形状は、排出口部６および回収部８との接続性を考慮して、排出口部６と同一形状とすることが好ましい。なお、連結部７の流路内に、流路の開閉を制御するバルブ等を設けてもよい。そして、集塵作業の際には流路を閉じて、集塵部４から回収部８に空気（集塵）が排出されないようにする。これにより、集塵能力が向上する。
【００３１】
〔回収部〕
回収部８は、連結部７の排出口部６が接続される一端部と反対側の他端部に接続され、本体部２より小さな内容積を有すると共に、柔軟な通気性シートからなる袋状のものである。また、回収部８は、集塵部４（本体部２）から連結部７を通して排出される塵埃Ｄを回収するものである。このような構成により、回収部８は、持ち運びと、廃棄が簡単なものとなる。具体的には、図１に示すように、袋状容器である。
【００３２】
回収部８の内容量は、本体部２の内容量の１／４〜１／３であることが好ましい。回収部８の内容量が１／４未満であると、回収部８に回収される塵埃量が少なく、本体部２の内部に塵埃が残留し、本体部２の目詰まり発生につながり、集塵能力が低下しやすい。また、交換用の回収部８を準備して、複数の回収部８で回収作業を行うこともできるが、交換作業の手間が増える分、作業効率が低下、作業者の負担が増加することとなる。内容量が１／３を超えると、回収される塵埃の回収率は所定値以上に向上しないため、内容量の増加分だけ回収部８の製造コストが高くなりやすく、また、廃棄し難くなる。
【００３３】
回収部８を構成する柔軟な通気性シートは、集塵袋１の作製の容易さから、本体部２と同様に、布製シート、高分子樹脂製シート等で作製することが好ましい。また、回収部８の形状は、図１に示すような略円筒形状が好ましいが、塵埃Ｄを回収可能であれば、特に限定されず、例えば、角型形状であってもよい。
【００３４】
回収部８の連結部７への接続は、図１に示すように、取入口部５および排出口部６と同様に、ヒモ、マジックテープ（登録商標）等の結束手段１７で結束、または、図示しないが接続部材１５（図３（ｃ）、（ｄ）参照）を使用して、溝と突起による嵌合によって行われる。
【００３５】
次に、本発明の他の実施形態である集塵装置について説明する。図２に示すように、集塵装置１ａは、送風機の吹出口部に接続して使用されるもので、本体部（図１参照）と、連結部７と、回収部８ａとを備える。本体部（図１参照）および連結部７については前記と同様の構成であるので、説明を省略する。回収部８ａは、連結部７の排出口部６が接続される一端部と反対側の他端部に接続され、連結部７と接続される接続管１２と、接続管１２と連通する回収袋１１ａおよび回収袋１１ａに隣接する吸引機１１ｂを内蔵する回収部本体１１とを備える。また、回収部８ａは、集塵部４（本体部）の塵埃、または、連結部７を通して排出される塵埃を、回収部本体１１の吸引機１１ｂの吸引風を利用して、回収袋１１ａに回収するものである。
【００３６】
回収部８ａは市販の掃除機（業務用を含む）が好ましく、回収部本体１１は掃除機本体、回収袋１１ａは紙製シート、布製シートまたは高分子樹脂製シート等からなるダスト袋、吸引機１１ｂは吸引風を発生する送風機、接続管１２は高分子樹脂等からなる接続ホースである。また、図２においては、回収袋１１ａと吸引機１１ｂが左右に配置された回収部本体１１（横型掃除機本体）を記載したが、回収袋１１ａと吸引機１１ｂが上下に配置された図示しない回収部本体（縦型掃除機本体）であってもよい。
【００３７】
回収部８ａ（接続管１２）の連結部７への接続は、図２に示すように、前記回収部８（図１参照）と同様に、ヒモ、マジックテープ（登録商標）等の結束手段１７で結束、または、図示しないが接続部材１５（図３（ｃ）、（ｄ）参照）を使用して、溝と突起による嵌合によって行われる。
【００３８】
次に、本発明に係る、図１に示す集塵袋１の使用方法について、説明する。
（１）集塵作業を必要とする作業空間の大きさに対応した送風機９を準備する。
（２）準備した送風機９（吹出口部１０）の大きさに対応した集塵袋１を準備し、集塵袋１の取入口部５を吹出口部１０に、ヒモ、マジックテープ（登録商標）等の結束手段１７、または、接続部材１５（図３（ｃ）、（ｄ）参照）を使用して、接続する。
【００３９】
（３）送風機９を駆動させて、集塵作業を開始する。送風機９の羽根部の回転によって、作業空間内の塵埃Ｄが空気と共に、送風機９内に吸入され、吹出口部１０から取入口部５を介して集塵袋１（本体部２）の内部に取り入れられる。
（４）取り入れられた塵埃Ｄを含む空気は、本体部２を構成する通気性シートによって分別され、空気は通気性シートの開口部を通って集塵袋１の外部に排出される。そして、塵埃Ｄは、取り入れられた空気の流れと内部空間断面積の減少によって、集塵部（縮径部）４に集塵される。
【００４０】
（５）送風機９に吸入される空気量が減少した際には、本体部２を外部からたたいて、集塵部（縮径部）４に集塵された塵埃Ｄを、連結部７を介して、回収部８に排出する。その結果、吸入される空気量が増加し、集塵袋１の集塵能力が所定レベルに戻る。
（６）集塵作業が終了したら、結束手段１７または接続部材１５の嵌合を解除して、集塵袋１を送風機９から外す。
【００４１】
また、集塵装置１ａの使用方法についても、前記（５）の本体部２を外部からたたくことに加えて、図２に示す回収部本体１１の吸引機１１ｂを駆動して、集塵部（縮径部）４に集塵された塵埃Ｄを、連結部７および接続管１２を介して、回収部本体１１の回収袋１１ａに排出すること以外は、前記（１）〜（６）と同様である。
【図面の簡単な説明】
【００４２】
【図１】本発明に係る集塵袋の構成を示す一部破断斜視図である。
【図２】本発明の他の実施形態である集塵装置の構成を示す部分斜視図である。
【図３】（ａ）、（ｂ）は吹出口部の他の実施形態を示すもので、（ａ）は側面図、（ｂ）は（ａ）の背面図（羽根部の記載は省略）、（ｃ）、（ｄ）は吹出口部と取入口部の他の接続方法に使用される接続部材を示すもので、（ｃ）は側面図、（ｄ）は（ｃ）のＸ−Ｘ線断面図である。
【図４】従来の集塵袋の構成を示す一部破断斜視図である。
【符号の説明】
【００４３】
１      集塵袋
１ａ    集塵装置
２      本体部
４      集塵部（縮径部）
５      取入口部
６      排出口部
７      連結部
８、８ａ  回収部
９      送風機
１０、１０ａ  吹出口部
１１    回収部本体
１１ａ  回収袋
１１ｂ  吸引機
１２    接続管
Ｄ      塵埃
【図１】
2006326400.tif 000003
【図２】
2006326400.tif 000004
【図３】
2006326400.tif 000005
【図４】
2006326400.tif 000006